(57)【要約】【課題】  ミスト運転時に衝突体から水が貯水室に滴り落ちることを防止し静音性を改善したミスト発生装置を提供する。【解決手段】  駆動モータ６によって貯水室５内の水を揚水する回転体９の外周に設置された衝突体１３に所定面積が切り抜かれた形状の欠落部３２を複数形成したことで、ミスト運転時に回転体９が回転駆動して多孔体１２で微細化された水滴が衝突体１３に付着し、付着した水滴が集まり大きくなって衝突体１３の下方向へ降下しても、脚３３を伝って貯水室５へ案内されるため、衝突体１３から貯水室５へ水滴が滴り落ちることがなく静音性を確保できる。【選択図】  図４
2015117907.tif 000002
【特許請求の範囲】
【請求項１】
水を貯水する貯水室と、該貯水室内に設置され回転駆動することで水を揚水する回転体と、該回転体と駆動軸で軸支され所定の回転数で回転駆動させる駆動モータと、前記回転体に形成され揚水した水を外周方向に放出する飛散口と、前記回転体の外周に設置され前記飛散口から飛散した水を破砕する多孔部を備えた多孔体と、該多孔体の外周に設置され破砕された水が衝突する衝突体とを備え、前記貯水室の水中に浸る脚を備えた欠落部を前記衝突体に形成したことを特徴とするミスト発生装置。
【請求項２】
前記回転体の回転方向と同一の向きに対して下り勾配で前記脚に接続された樋を前記欠落部に形成したことを特徴とする請求項１記載のミスト発生装置。
【発明の詳細な説明】
【技術分野】
【０００１】
この発明は、貯水室内に設置された回転体を回転駆動させることでナノメートルサイズのミストと負イオンを含んだ加湿空気を発生させるミスト発生装置に関するものである。
【背景技術】
【０００２】
従来、この種のものでは貯水室の水中に下部を水没させ、駆動モータと駆動軸で軸支された筒状の回転体が回転した時の遠心力で貯水室の水を揚水して回転体の外壁および内壁を伝わせて押し上げて、回転体の外壁を伝わせて押し上げた水を周囲に飛散させると共に、回転体の内壁を伝わせて押し上げた水を回転体の上端に形成された複数の飛散口から周囲に飛散させ、回転体の上部外周に所定間隔を保持して位置し、多数のスリットやパンチングメタル等から成る多孔部によって飛散口から飛散した水を破砕する多孔体を通過させることで水をミスト状に微細化させ、更に、ミスト状になった水が多孔体の外周に設置された衝突体に衝突することで超微細化されるため、ナノメートルサイズのミストを生成可能としており、多量に発生したナノメートルサイズのミストと負イオンを含んだ加湿空気を送風ファンによって室内に放出していた。（例えば、特許文献１）
【先行技術文献】
【特許文献】
【０００３】
【特許文献１】特開２０１３−２１７５２４号公報
【発明の概要】
【発明が解決しようとする課題】
【０００４】
しかし、この従来のものでは、衝突体に衝突した水の全てが超微細化されてはおらず、超微細化されない水滴も同時に発生しており、微細化されなかった水滴は衝突体に付着して水滴の質量による重力や送風の影響で貯水室へ滴り落ちることがあり、衝突体から水滴が貯水室の水へ滴り落ちると音が発生するため、運転時における静音性を阻害することから改善の余地があった。
【課題を解決するための手段】
【０００５】
上記課題を解決するために本発明では、水を貯水する貯水室と、該貯水室内に設置され回転駆動することで水を揚水する回転体と、該回転体と駆動軸で軸支され所定の回転数で回転駆動させる駆動モータと、前記回転体に形成され揚水した水を外周方向に放出する飛散口と、前記回転体の外周に設置され前記飛散口から飛散した水を破砕する多孔部を備えた多孔体と、該多孔体の外周に設置され破砕された水が衝突する衝突体とを備え、前記貯水室の水中に浸る脚を備えた欠落部を前記衝突体に形成したことを特徴としている。
【０００６】
また、前記回転体の回転方向と同一の向きに対して下り勾配で前記脚に接続された樋を前記欠落部に形成したことを特徴としている。
【発明の効果】
【０００７】
この発明は貯水室の水中に浸る脚を備えた欠落部を衝突体に形成したので、衝突体に付着した水滴が欠落部の脚から貯水室の水中に案内されるため、衝突体から水滴が貯水室へ滴り落ちることがなく静音性が向上する。
【０００８】
また、回転体の回転方向と同一の向きに対して下り勾配で脚に接続された樋を欠落部に形成したので、駆動モータによって回転体が回転駆動した時に発生する旋回流と同一方向へ下り傾斜する樋に沿って水滴が案内され、脚を伝って貯水室の水中に案内されるため、衝突体から水滴が貯水室へ滴り落ちることがなく静音性が向上する。
【図面の簡単な説明】
【０００９】
【図１】この発明の一実施形態を示すミスト発生装置の概略構成図
【図２】同実施形態のブロック構成図
【図３】同実施形態の操作部を説明する図
【図４】同実施形態の回転体の周辺構造を説明する図
【図５】同実施形態の衝突体の周辺構造を説明する要部拡大図
【図６】他の実施形態の衝突体の周辺構造を説明する要部拡大図
【発明を実施するための形態】
【００１０】
次に、この発明のミスト発生装置を図に基づいて説明する
１は器具本体であり、２は器具本体１内にあり給水タンク３内の水を所定量貯めることが可能な貯水槽である。
【００１１】
４は器具本体１の中央部にある処理室であり、５は該処理室４の下方にあり貯水槽２から送られた水を所定量だけ貯めておく貯水室、６は該貯水室５の下部に設置された電動式の駆動モータ、７は該駆動モータ６に備えられ前記貯水室５の中央付近に立設された支軸部８に囲まれている軸である。
【００１２】
９は軸７の途中に軸支され下端方向に向かって徐々に小径となる擂り鉢状の回転体、１０は該回転体９の上端に複数形成された所定口径の飛散口であり、駆動モータ６が所定の回転数で駆動することで回転体９の内壁および外壁から貯水室５内の水が揚水され、回転体９の外壁方向から揚水された水が遠心力によって外周方向に飛散すると共に、回転体９の内壁を揚水された水が上端にある飛散口１０から遠心力によって外周方向に飛散され、スリット、パンチングメタル、金網等で形成された多孔部１１を備えた多孔体１２に衝突することで微細化される。
【００１３】
１３は多孔体１２の外周方向に所定距離だけ離れて設置された円筒状の衝突体であり、多孔体１２の外周を覆うように衝突体１３が設置されることで、多孔部１１によって微細化された水が衝突体１３に衝突して回転体９から飛散した水がナノメートル（ｎｍ）サイズのミストに超微細化され、ナノメートルサイズのミストとマイナスイオンとを含んだ加湿空気が大量に発生する。
【００１４】
１４は軸７に軸支され細い縦羽根を複数並設して円状としたシロッコファンから成る送風機、１５は処理室４の上方に形成され周囲の空気を取り込む複数の給気口、１６は該給気口１５を通じて処理室４内に空気を案内する案内筒、１７は多孔体１２で発生した加湿空気を送風口１８に案内する送風経路であり、送風機１４が回転駆動することでナノメートルサイズのミストとマイナスイオンとを含んだ加湿空気を送風口１８から室内に送風することができる。
【００１５】
１９は前記貯水槽２の底面と貯水室５の底面とを配管で接続する給水管であり、貯水槽２と貯水室５とを同一の高さに設置することで、前記給水タンク３から貯水槽２に供給された水が貯水槽２と同一の水位まで給水管１９を通じて貯水室５へ供給される。
【００１６】
２０は器具本体１下部に設置され貯水室５から排水管２１を通じて流れ落ちた水を貯める排水トレー、２２は排水管２１の途中に設置された開閉弁であり、器具本体１での一日の使用が終了したら、図示しない排水レバーを使用者が操作することで開閉弁２２が開放して貯水室５の水が排水トレー２０へ流入し、貯水室５内の水がすべて排水トレー２０へ案内されたら排水トレー２０を器具本体１から取り出して、排水トレー２０内の水を台所や洗面所等の流し場へ捨てることで、貯水室５内に水が残ることがなく菌の発生や増殖を防止することができ、常時新鮮な加湿空気を室内へ送風することができる。
【００１７】
２３は貯水室５外周を巻回して備えられ、貯水室５内の水を加熱する加熱ヒータであり、送風量が「強」に設定されると貯水室５内の貯水温度を設定温度の３８℃前後に、送風量が「弱」に設定されると貯水室５内の貯水温度を設定温度の３４℃前後に加熱保温して吹き出し温度を３０℃程度に保持するものであり、貯水室５の底部に設置され貯水室５内の水の温度を検知する温度センサ２４の検知温度によって、加熱ヒータ２３がＯＮ／ＯＦＦされて所定温度に保持するもので、加熱ヒータ２３を強制的にＯＦＦにして貯水室５内の水を加温しないモードも設定可能としている。
【００１８】
２５は貯水室５内に設置され水位を検知する水位センサであり、貯水槽２及び貯水室５内に所定量以上の水が存在すればＯＦＦ信号を出力し、所定量よりも水が少なければＯＮ信号を出力して運転を停止させ、水位センサ２５がＯＦＦ信号に切り替わるまでミスト運転を再開させないようにする。
【００１９】
２６は器具本体１の前面に備えられ複数のスイッチが設置された操作部であり、この操作部２６には、駆動モータ６を駆動させて送風機１４及び回転体９を回転駆動して室内に加湿空気を送風するミスト運転を開始する運転スイッチ２７と、駆動モータ６の回転数を変化させて送風口１８からの送風量を「強」と「弱」に設定可能な風量スイッチ２８と、加熱ヒータ２３によって貯水室５内の水を所定温度まで高める温ミスト運転を行う温ミストスイッチ２９と、運転開始から１時間または２時間経過後に駆動モータ６を駆動停止させてミスト運転を停止させる切タイマースイッチ３０とが備えられており、各スイッチが操作されたら、各スイッチの上部に設置された所定のランプを点灯させる。
【００２０】
３１は前記操作部２６からの入力信号や、温度センサ２４及び水位センサ２５の検知信号を受けて、加熱ヒータ２３及び駆動モータ６の動作を制御する制御部である。
【００２１】
次に、本実施形態における衝突体１３の構造と水滴の流動について図４及び図５に基づいて詳述する。
まず、衝突体１３には所定の面積分を切り抜いた左右非対称でアーチ状の欠落部３２が複数形成されており、欠落部３２は、貯水室５の水中に浸る長さで形成された脚３３と、該脚３３と接続されミスト運転時に回転体９が回転駆動する方向と同一方向に対して所定角度で下り勾配となるように形成された樋３４とで構成されている。
【００２２】
前記欠落部３２が衝突体１３に形成されたことで、ミスト運転時に回転体９が回転駆動して衝突体１３に水滴が付着し、付着した水滴が集まって質量が増加すると水滴に対する表面張力よりも大きな重力が加わり、水滴が衝突体１３の下方向へ流動して欠落部３２の脚３３を伝い貯水室５に案内されるため、衝突体１３から貯水室５に水滴が滴り落ちるのを抑制することができ、水滴の滴下で発生する音を防止できる。
【００２３】
また、樋３４は回転体９が回転駆動する方向に対して同一方向へ下り勾配となっていることから、ミスト運転時に回転体９が回転駆動して周囲に旋回流が発生することで、衝突体１３に付着した水滴が回転体９の回転方向と同一方向へ移動しようとする力が加わり、衝突体１３に付着した水滴が樋３４の下り勾配に沿って降下し、樋３４の端部まで達した水滴が脚３３を伝って貯水室５内へ案内されることから、欠落部３２の樋３４から水滴が滴り落ちることを抑制することができ、水滴の滴下によって発生する音を防止できる。
【００２４】
以上のように、回転体９の外周に設置された衝突体１３に欠落部３２を複数形成したことで、ミスト運転時に回転体９が回転駆動して多孔体１２で微細化された水滴が衝突体１３に付着し、付着した水滴が集まり大きくなって衝突体１３の下方向へ降下しても、脚３３を伝って貯水室５へ案内されるため、衝突体１３から貯水室５へ水滴が滴り落ちることがなく静音性を確保できる。
【００２５】
また、回転体９が回転駆動する方向と同一方向へ下り勾配する樋３４を脚３３に接続するように欠落部３２に形成したことで、回転体９が回転駆動することで発生する旋回流と同一方向へ樋３４が下り勾配していることで、ミスト運転で水滴が発生しても樋３４に沿って移動し、樋３４の端部まで達した水滴が脚３３を伝って貯水室５の水中へ案内されるため、衝突体１３から水滴が滴り落ちることがなく静音性を確保できる。
【００２６】
なお、本実施形態では欠落部３２を左右非対称のアーチ形状で形成したもので説明したが、これに限らず例えば図６で示すように、回転体９の回転方向と同一方向へ下り勾配となる曲線の端部が貯水室５の水中に達する略扇形で欠落部３２を形成してもよく、衝突体１３に付着した水を確実に貯水室５の水中へ案内可能な構成であればよい。
【００２７】
また、欠落部３２の面積や下り勾配する樋３４の傾斜角については、ミスト運転時に超微細化されたナノメートルサイズのミストとマイナスイオンの送風量を阻害しない範囲で、衝突体１３に付着した水滴を効率的に貯水室５へ案内可能となる上で自由に数値が変更可能なものである。
【００２８】
なお、本実施形態で用いた回転体９の構造や衝突体１３に形成した欠落部３２の形状は一例として提示したものであり、発明の範囲を限定することは意図しておらず、その他の様々な形態で実施されることが可能であり、発明の要旨を逸脱しない範囲において、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００２９】
５    貯水室
６    駆動モータ
９    回転体
１０    飛散口
１１    多孔部
１２    多孔体
１３    衝突体
３２    欠落部
３３    脚
３４    樋
【図１】
2015117907.tif 000003
【図２】
2015117907.tif 000004
【図３】
2015117907.tif 000005
【図４】
2015117907.tif 000006
【図５】
2015117907.tif 000007
【図６】
2015117907.tif 000008